(57)【要約】  本発明は、被写体である人物に照射される照明光の光量と配光をより細かく変更することによって、望ましい陰影を持つ顔画像、又は被写体の特徴を表現した顔画像を得るための照明手段を備えることにより、品質の高い顔写真を得ることができる人物撮影装置を提供する。人物の顔を照明する照明手段を備えた人物撮影装置であって、発光素子を並べた発光面を複数有する照明手段と、前記発光素子の光量、及び複数の前記発光面の方向を個別に制御する制御手段とを有することを特徴とする。
2007108321.tif 000002
【特許請求の範囲】
【請求項１】
人物の顔を照明する照明手段を備えた人物撮影装置であって、
発光素子を並べた発光面を複数有する照明手段と、
前記発光素子の光量、及び複数の前記発光面の方向を個別に制御する制御手段と
を有することを特徴とする人物撮影装置。
【請求項２】
被写体までの距離を測定する距離測定手段を設け、
前記制御手段は、前記距離測定手段から送られた測定情報を基に前記照明手段の発光素子の光量、及び発光面の方向を決定することを特徴とする請求の範囲第１項に記載の人物撮影装置。
【請求項３】
照明条件を入力する入力手段を備え、
前記制御手段は、入力された前記照明条件を基に前記照明手段の発光素子の光量、及び発光面の方向を決定することを特徴とする請求の範囲第１項又は第２項に記載の人物撮影装置。
【請求項４】
開閉する天板及び扉を備え、前記照明手段を前記天板又は前記扉に設けたことを特徴とする請求の範囲第１項〜第３項のいずれか１項に記載の人物撮影装置。
【発明の詳細な説明】
【技術分野】
【０００１】
本発明は、被写体の照明条件を制御する人物撮影装置に関する。
【背景技術】
【０００２】
人物撮影装置としては、パスポートの申請書、履歴書、その他各種試験の受験申請書へ添付する顔写真を得るためのボックス型の証明写真撮影装置や（例えば、特許文献１参照。）、展望、その他景色を売り物にしている観光地、各種イベント会場に置かれ、撮影した人物像と、予め準備した背景画像とを合成して記念写真を作る記念写真撮影装置（例えば、特許文献２参照。）が知られている。【０００３】
これらの人物撮影装置は、通常、無人のボックス内か、カーテン状の仕切り内に納められており、内部に入ったお客は、これらの装置に設けられたタッチパネルと呼ばれる操作表示手段に逐次表示される案内に従って指示操作を行い、所定の写真を得る。【０００４】
上述した証明写真装置によって作成される顔写真は、使用目的に適合する所定の要件、例えば本人の特徴が明確に出ていること、写真のサイズが適切であること等の条件を満足しているか否かが重要であり、また、記念写真撮影装置によって作成される顔写真は、背景の中で意識して作られた笑顔であれば良しとすることが多い。また、ボックスの設置面積をできる限り小さくしたいという要求によって、カメラと被写体との距離が十分に取れない距離に固定されること、あるいは被写体となる人物がカメラに接近してしまう場合があること等から撮影された顔画像は中心部が大きく誇張され、また、照明光が顔の一部に強く当たったものになり易い。【０００５】
従って、上述した様な装置にて、できるだけ自分の気に入った顔写真を得ようとする場合には、顔写真としての品質はある程度のレベルにて妥協せざるを得なくなる場合が多い。【０００６】
このような状況に対応するために、専任の撮影者が照明条件をはじめとする各種撮影条件を個別に設定して、専用のカメラで撮影することが一般的に行われている。【０００７】
しかしながら、上記したような専任の撮影者を設けることは、人件費がかさむこととなり、結果として写真のコストアップにつながる恐れがある。
【特許文献１】特開２００２−２１４６９０号公報（第１頁）
【特許文献２】特開平５−１６１０６４号公報（第１頁）
【発明の開示】
【発明が解決しようとする課題】
【０００８】
本発明は、上述したような状況に鑑みてなされたもので、被写体である人物に照射される照明光の光量と配光をより細かく変更することによって、望ましい陰影を持つ顔画像、又は被写体の特徴を表現した顔画像を得るための照明手段を備えることにより、品質の高い顔写真を得ることができる人物撮影装置を提供することにある。
【課題を解決するための手段】
【０００９】
前記課題は、以下に記載する発明により達成される。
１．人物の顔を照明する照明手段を備えた人物撮影装置であって、
発光素子を並べた発光面を複数有する照明手段と、
前記発光素子の光量、及び複数の前記発光面の方向を個別に制御する制御手段と
を有することを特徴とする人物撮影装置。
２．被写体までの距離を測定する距離測定手段を設け、
前記制御手段は、前記距離測定手段から送られた測定情報を基に前記照明手段の発光素子の光量、及び発光面の方向を決定することを特徴とする１項に記載の人物撮影装置。
３．照明条件を入力する入力手段を備え、
前記制御手段は、入力された前記照明条件を基に前記照明手段の発光素子の光量、及び発光面の方向を決定することを特徴とする１又は２項に記載の人物撮影装置。
４．開閉する天板及び扉を備え、前記照明手段を前記天板又は前記扉に設けたことを特徴とする１〜３項のいずれか１項に記載の人物撮影装置。
【発明の効果】
【００１０】
本発明により、顔に照射される照明光の照明条件を細かく変更することによって、希望する陰影を持った顔写真を得ることができる人物撮影装置が実現される。
【図面の簡単な説明】
【００１１】
【図１】人物撮影装置による撮影の様子を示す図である。
【図２】人物撮影装置Ｇの概念図である。
【図３】人物撮影装置の制御関係を示すブロック図である。
【図４】扉の動作を説明する概念図である。
【図５】扉に設けられた照明手段を説明する概念図である。
【図６】発光面の停止位置の例を説明する図である。
【図７】ＬＥＤの点灯位置を変更して配光パターンを変化させる例を示す図である。
【図８】人物撮影装置Ｇによる撮影の流れの例を示すフローチャートである。
【符号の説明】
【００１２】
Ｃ  制御手段
Ｇ  人物撮影装置
１２、１３  扉
１４  天板
１２０、１３０、１４０  照明手段
１２１〜１２４  発光面
１３１〜１３４  発光面
１４１、１４２  発光面
【発明を実施するための最良の形態】
【００１３】
図１は、本発明の人物撮影装置Ｇによる撮影の様子を示す図である。人物撮影装置Ｇは本体の左右の所定位置を支点にしてに開閉する扉１２、１３と上部にて昇降し開閉する天板１４を備えている。前記扉１２、１３，及び天板１４の被写体の人物Ｐに向かう面には発光素子、例えば発光ダイオード（ＬＥＤ）が一面に並べられており、人物を照明している。【００１４】
人物Ｐは、正面のハーフミラー１７に映った自分の顔を見ながら適当と思われる位置に立ち、操作表示手段１６の操作ボタンやリモートコントローラ（不図示）を操作することにより、あるいはオペレータの操作により撮影を行う。【００１５】
図２は、人物撮影装置Ｇの概念図であり、（ａ）は正面図、（ｂ）は側面図、（ｃ）は上面図である。【００１６】
図に示される人物撮影装置Ｇは、上部筐体１０と、下部筐体２０と、これらの二つの筐体を接続する接続部３０とからなる。【００１７】
上部筐体１０は、上方に開閉する天板１４と、左右に開閉する扉１２、１３とを有し、その内部には、撮影用カメラＣＭ、プリンタＰＲ、制御手段Ｃ等が収納されている。【００１８】
また、下部筐体２０は、底部に移動用の車を備えた台座を有し、その内部には、電源装置等の質量の大きな物が収納されている。【００１９】
撮影用カメラＣＭは、デジタルカメラで矢印ａの方向の被写体の撮影を行い、撮影した画像情報を制御手段Ｃに送る。【００２０】
プリンタＰＲは、制御手段Ｃから送られた画像情報を基にハードコピーを出力するプリンタで、熱昇華転写、インクジェット、電子写真等、適宜な技術手段によるプリンタを採用することができる。【００２１】
上部筐体１０の天板１４が上部に、また扉１２、１３が左右に開かれると、天板１４、扉１２、１３の裏側に設けられた照明手段１４０、１２０、１３０の発光面１４１、１４２、１２１〜１２４、１３１〜１３４が上部と左右に現れ、正面には、撮影用カメラＣＭのレンズ１５、及び、操作表示手段１６が現れる。なお、前記発光面１４１、１４２、１２１〜１２４、１３１〜１３４は本発明における照明手段１４０、１２０、１３０の主構成要素である。また、操作表示手段１６は、広く一般に使用されている公知の技術手段であるタッチパネルであって、表示手段と、所定の位置に触れることにより情報の入力が可能な入力手段の機能を合わせ持つ手段である。【００２２】
図３は人物撮影装置の制御関係を示すブロック図である。なお、本発明の説明に不要なブロックについては記載を省略してある。【００２３】
制御手段Ｃは、ＣＰＵ、メモリＭ、画像処理用ＩＣ、入出力ポート、通信用インターフェイス、駆動回路からなるコンピュータシステムである。制御手段Ｃによる制御は、メモリに予め格納してある所定のプログラムを実行させることにより行われる。【００２４】
撮影用カメラＣＭから制御手段Ｃに送られた画像情報は、画像処理が施され、圧縮されて、前記メモリＭの所定のファイルに格納される。格納された画像情報は、前記タッチパネルから入力された指示情報、例えばサイズ、枚数等の指示情報に基づいて出力画像に加工され、プリンタＰＲに送られる。【００２５】
図４は、扉１２、１３の動作を説明する概念図である。【００２６】
図４は図２（Ｃ）に示す上面図に対応するものである。扉１２、１３は支点１２２、１３２を中心にして回転可能であり、扉開閉手段（不図示）により開閉する。また、扉開閉手段は制御手段Ｃにより開閉停止位置が制御される。扉１２、１３の発光面１２１〜１２４、１３１〜１３４は矢印ｃ、及びｄの方向に向け発光して、被写体となっている人物を照射する。【００２７】
また、撮影に先立ち、距離測定手段である撮影用カメラＣＭの自動焦点機能が働き、人物の顔に撮影レンズの焦点が合うようにレンズが調整される。この動作に伴って測定された撮影用カメラＣＭと被写体である人物の顔までの距離情報は制御手段Ｃに送られ、制御手段Ｃは、前記距離情報に基づき扉１２、１３の発光面の方向ｃ、ｄ、及び天板１４の発光面の方向が被写体に向かうように開閉角度決定し、また、距離に応じた基本光量を決定する。【００２８】
図５は扉１２に設けられた照明手段１２０を説明する概念図である。【００２９】
扉１２の内面には照明手段１２０が設けられており、照明手段１２０は、４つの発光面１２１〜１２４、各発光面のそれぞれが有する回転軸１２１Ｒ〜１２４Ｒ、前記回転軸の上方、及び下方で回転可能に支持する支持部材（不図示）、前記回転軸１２１Ｒ〜１２４Ｒの上部に取り付けられたステッピングモータＳＭ１〜ＳＭ４等から構成される。４つの発光面１２１〜１２４は、制御手段Ｃによる前記ステッピングモータＳＭ１〜ＳＭ４の個別の回転停止制御により、所定の方向に向けて所定の角度回転し停止する。【００３０】
発光面１２１〜１２４には発光素子であるＬＥＤが複数個ｘ方向、及びｙ方向に所定の間隔をもって並べられている。複数のＬＥＤは、制御手段Ｃからの制御情報に基づいて個別にＬＥＤを駆動する発光面制御手段によって、オンオフ制御、又は光量制御が、個別になされ、制御手段Ｃに設定された照明条件に基づく照明が実行される。【００３１】
図６は、発光面１２１〜１２４の停止位置の例を説明する図である。【００３２】
図６（ａ）は、発光面１２１〜１２４が矢印ｃ１〜ｃ４で示すように、発光面の前方にある被写体に向いた位置にて停止している例を示す。また、図６（ｂ）は、矢印ｃ１〜ｃ２が平行、即ち、発光面１２１〜１２４の向きが同じになるような位置にて停止している例を示す。【００３３】
なお、扉１３に設けられた照明手段１３０も同様であるので説明を省略する。【００３４】
図７は、扉１２の発光面１２１〜１２４、扉１３の発光面１３１〜１３４、天板１４の発光面１４１、１４２のＬＥＤの点灯位置を変更して配光パターンを変化させる例を示す図である。【００３５】
図７（ａ）は扉１２、１３、及び天板１４の発光面を全て点灯させ、顔にできる影を最小になるようにする例を示し、図７（ｂ）は、顔の左右に当たる照明光の強さが異なるようにすることによって顔の立体感を出すことに効果がある例を示すものである。また、図７（ｃ）は、照明光源を狭めることにより、顔の輪郭を明瞭にする効果がある例である。図７（ｄ）ほぼ円形の照明光を顔に当てることにより背景から顔を浮き出させる効果があるものである。【００３６】
なお、上述の説明は、扉１２、１３、及び天板１４の発光面を例に挙げて行ったが、同様な発光面はこれに限定する必要は無く、例えば下方にも発光面を設けても良い。【００３７】
このような、被写体を照射する照明光の配光については、従来から、照明ランプ、ストロボ等を用いて色々な工夫がなされてきた、特に、顔に作られる陰影により、撮影される顔画像の顔幅や表情は大きく変わるので、この配光の設定は重要なものである。【００３８】
しかしながら、最適な照射光の強さと配光を設定することは容易ではなく、時間と、労力と、経験とが必要であった。一方、本発明による照明は、説明したように、照明手段１２０、１３０、１４０の発光面の発光素子の光量、点灯位置が個別に制御することができ、また発光面の照射方向を個別に制御することから、照射光の強さと配光を容易に、且つ多様に変化させ人物の顔にできる陰影を微妙に調整することができる。この特徴を持つ本発明の人物撮影装置によって、顔に望ましい陰影が作られ、この顔が撮影されることにより、被写体となる人物は自分が希望する顔画像を得ることができる。【００３９】
被写体となる人物は、予め設定されている複数の配光パターンの中から、望ましい配光パターンを選択して撮影を行っても良いし、また、いくつかの配光パターンで撮影を行い、撮影された顔画像を操作表示手段１６に表示させて、それらの顔画像の中から気に入った顔画像を選択してプリントするようにしても良い。また、操作表示手段１６、又はリモートコントローラ（不図示）により照明条件を色々変化させながら、正面のハーフミラーに映った自分の顔を見て、気に入った条件を見つけ出し、その条件にて撮影をするようにしても良い。【００４０】
図８は、人物撮影装置Ｇによる撮影の流れの例を示すフローチャートである。【００４１】
被写体となる人物は、課金等の処理を済ませ、人物撮影装置の操作表示手段１６、又はリモートコントローラ（不図示）の操作開始ボタンを押す（ステップＳ１）。制御手段ＣのメモリＭには、複数の配光パターンと、その配光パターンにより撮影された顔画像（サンプル画像）とを記憶させた配光サンプルファイルが設けられており、これらの顔画像が順次、又は複数の顔画像が同時に操作表示手段１６に表示される（ステップＳ２）。【００４２】
被写体となる人物が、希望する配光パターンのサンプル画像を選択すると（ステップＳ３：Ｙ）、選択されたサンプル画像の配光パターンと同様の照明が行われるように照明手段１２０、１３０、１４０が制御される（ステップＳ４）。【００４３】
操作表示手段１６、又はリモートコントローラにより、撮影開始の指示が入力されると
（ステップＳ５：Ｙ）、撮影が開始され（ステップＳ６）、撮影された顔画像が表示手段１６に表示される（ステップＳ７）。【００４４】
表示された顔画像が希望のものであれば（ステップＳ８：Ｙ）、確認ＯＫの入力により、プリンタＰＲプリントが出力される（ステップＳ９）。もし、希望するものでなければ（ステップＳ８：Ｎ）、配光パターンを選択し直して（ステップＳ３）、再度、ステップＳ４〜８までを実行する。なお、この再撮影を２回まで、あるいは、設定したある回数までとするような撮影回数を制限するような流れにしてもよい。【００４５】
なお、前記照明手段による照明条件の変更は、上述したような照明光の配光の変化によるものに限らず、照明光の強さを一様に上下させることにより被写体の照度を変化させるようにする照明条件の変更もできることはいうまでもない。【００４６】
また、選択された顔画像をプリンタＰＲに出力するだけではなく、メモリカードをはじめ適宜な記憶媒体に出力できるようにしても良い。【００４７】
また、照明手段は、ＬＥＤを並べたものに限定されるものではなく、上述したように照明光の照度、配光、配色を可変できるものであれば何でも良く、例えば、ＥＬ（エレクトロルミネッセンス）ディスプレイ、プラズマディスプレイ、液晶ディスプレイでも良い。【００４８】
また、このような照明手段による照明光にストロボによる光を付加して撮影を行っても良い。【００４９】
以上説明したように、本発明による人物撮影装置は、多様な配光パターンの設定が可能であることを特徴としており、設定された多様な配光パターンの中から選択された配光パターンの照明により撮影をして、撮影した顔画像を表示することによって、被写体となった人物は、自分が希望する配光パターンにより撮影された顔写真を確認し、プリントさせることができる。
【図３】
2007108321.tif 000003
【図１】
2007108321.tif 000004
【図２】
2007108321.tif 000005
【図４】
2007108321.tif 000006
【図５】
2007108321.tif 000007
【図６】
2007108321.tif 000008
【図７】
2007108321.tif 000009
【図８】
2007108321.tif 000010
【国際調査報告】
2007108321.tif 000011
2007108321.tif 000012
2007108321.tif 000013
2007108321.tif 000014